(57)【特許請求の範囲】
【請求項１】
原稿を読み取り、前記原稿の読み取り画像を画像データとして出力するための読み取り部と、
宛先の入力を受け付け、前記宛先を示す宛先情報を出力するためのオペレーション部と、
前記宛先情報を前記宛先候補情報として記憶するための記憶部と、
前記オペレーション部から前記宛先情報を受け取り、前記記憶部に前記宛先候補情報が全く存在しなければ、前記記憶部に前記宛先情報を前記宛先候補情報として記憶し、宛先を再度入力させるための画面表示指示を前記オペレーション部に通知し、再度、前記オペレーション部から前記宛先情報を受け取り、前記宛先情報と前記宛先候補情報とを照合し、前記宛先情報と前記宛先候補情報とが一致していれば、前記宛先情報を正式な送信先として保持し、前記オペレーション部に宛先確定を通知し、応答として前記オペレーション部から送信指示を受け取ると、前記読み取り部に前記原稿の読み取り開始指示を通知し、前記原稿の読み取り画像を確認し、前記確認された読み取り画像に問題がある場合、再度、前記読み取り部に前記原稿の読み取り開始指示を通知し、前記確認された読み取り画像に問題がない場合、前記確認された読み取り画像に基づく画像データを取得する基本処理部と、
前記正式な送信先に対して、前記画像データを送信する通信処理部と
を具備し、
前記基本処理部は、前記オペレーション部に対して、宛先の入力を３回以上受け付けることを許可し、前記オペレーション部に宛先が入力される毎に、前記オペレーション部から前記入力された宛先を示す宛先情報を受け取り、該宛先情報と前記宛先候補情報とを照合し、該宛先情報と前記宛先候補情報とが一致すれば、該宛先情報を前記正式な送信先として保持し、該宛先情報と前記宛先候補情報とが一致しなければ、その都度、該宛先情報を前記宛先候補情報として前記記憶部に蓄積する
ファクシミリ装置。
【請求項２】
請求項１に記載のファクシミリ装置であって、
前記基本処理部は、所定の回数以内に、前記入力された宛先を示す宛先情報と前記蓄積された宛先候補情報のいずれかとが一致しなければ、前記蓄積された宛先候補情報を消去し、前記オペレーション部へ宛先不一致を通知する
ファクシミリ装置。
【請求項３】
請求項１又は２に記載のファクシミリ装置であって、
前記オペレーション部は、前記宛先確定の通知を受け取り、追加の宛先がある場合には、前記追加の宛先の入力を受け付け、宛先の指定が全て完了すると、前記基本処理部に前記送信指示を通知する
ファクシミリ装置。
【請求項４】
請求項１乃至３のいずれか一項に記載のファクシミリ装置であって、
前記基本処理部は、照合する桁数を制限して前記宛先情報と前記宛先候補情報とを照合し、
前記前記オペレーション部は、再入力の際、前記制限された桁数で、前記宛先の入力を受け付け、前記宛先情報を出力する
ファクシミリ装置。
【請求項５】
オペレーション部に対して、宛先の入力を３回以上受け付けることを許可することと、
前記オペレーション部で宛先の入力を受け付け、前記オペレーション部に宛先が入力される毎に、前記オペレーション部から前記入力された宛先を示す宛先情報を受け取ることと、
記憶部に宛先候補情報が全く存在しなければ、前記記憶部に該宛先情報を宛先候補情報として記憶することと、
前記記憶部に宛先候補情報が存在していれば、該宛先情報を受け取る毎に、該宛先情報と宛先候補情報とを照合することと、
該宛先情報と前記宛先候補情報とが一致すれば、該宛先情報を前記正式な送信先として保持することと、
該宛先情報と前記宛先候補情報とが一致しなければ、その都度、該宛先情報を前記宛先候補情報として前記記憶部に蓄積することと、
宛先を再度入力させるための画面表示指示を前記オペレーション部に通知し、再度、前記オペレーション部から宛先情報を受け取ることと、
前記再度受け取った宛先情報と前記蓄積された宛先候補情報とを照合することと、
前記再度受け取った宛先情報と前記蓄積された宛先候補情報とが一致していれば、前記再度受け取った宛先情報を正式な送信先として保持することと、
前記オペレーション部に宛先確定を通知し、前記宛先確定の通知に対する応答として前記オペレーション部から送信指示を受け取ると、読み取り部に原稿の読み取り開始指示を通知することと、
前記読み取り部で前記原稿を読み取り、前記原稿の読み取り画像を確認することと、
前記確認された読み取り画像に問題がある場合、再度、前記読み取り部に前記原稿の読み取り開始指示を通知することと、
前記確認された読み取り画像に問題がない場合、前記確認された読み取り画像に基づく画像データを取得することと、
前記正式な送信先に対して、前記画像データを送信することと
を含む
ファクシミリ送信方法。
【請求項６】
請求項５に記載のファクシミリ送信方法であって、
所定の回数以内に、前記入力された宛先を示す宛先情報と前記蓄積された宛先候補情報のいずれかとが一致しなければ、前記蓄積された宛先候補情報を消去することと、
前記オペレーション部へ宛先不一致を通知することと
を更に含む
ファクシミリ送信方法。
【請求項７】
請求項５又は６に記載のファクシミリ送信方法であって、
前記オペレーション部において、前記宛先確定の通知を受け取った際に、追加の宛先がある場合には、前記追加の宛先の入力を受け付けることと、
宛先の指定が全て完了すると、前記オペレーション部から前記送信指示の通知を受け取ることと
を更に含む
ファクシミリ送信方法。
【請求項８】
請求項５乃至７のいずれか一項に記載のファクシミリ送信方法であって、
照合する桁数を制限して前記宛先情報と前記宛先候補情報とを照合することと、
前記前記オペレーション部で、再入力の際、前記制限された桁数で、前記宛先の入力を受け付け、前記宛先情報を出力することと
を更に含む
ファクシミリ送信方法。
【請求項９】
請求項５乃至８のいずれか一項に記載のファクシミリ送信方法を、コンピュータに実行させるためのプログラム。
【発明の詳細な説明】
【技術分野】
【０００１】
本発明は、ファクシミリ装置に関し、特にファクシミリ通信及びＷ−ＮＥＴ  ＦＡＸ通信を行うファクシミリ装置に関する。
【背景技術】
【０００２】
従来のファクシミリ装置では、送信する宛先の入力を簡単に操作できるように短縮ダイヤルへの宛先電話番号やメールアドレスの登録や、ワンタッチで操作できるボタンへの宛先電話番号やメールアドレス登録を実現し、登録時に宛先電話番号やメールアドレスを正しく入力することで、送信時の宛先番号入力による誤送信を防止している。
【０００３】
しかしながら、上記のように予め登録をしていない宛先に対しては、送信指示をするたびに長い桁数を入力する必要があり、誤入力による誤送信の原因となっていた。今般、情報漏洩が問題となっており、宛先誤入力による誤送信防止が有効と考える。
【０００４】
関連する技術として、特開平２−２０００５８号公報に誤送防止方式が開示されている。
この従来技術では、ファクシミリ装置の誤送防止方式において、送信原稿を送信する際にダイヤル入力によって入力される当該送信原稿の受信側のファクシミリ端末のダイヤル番号を２回入力操作することにより入力し、１回目の入力操作内容と２回目の入力操作内容とが一致しなければ、当該原稿が送信されないことを特徴とする。
【０００５】
また、特開平４−２９００６１号公報に通信装置の誤送防止方式が開示されている。
この従来技術では、テレテックス装置やファクシミリ装置等の自動発信機能を備えた通信装置において、短縮ダイヤルやオートダイヤルのダイヤル番号登録時、ダイヤル番号を２回入力し、１回目に入力されたダイヤル番号と２回目に入力されたダイヤル番号が一致しなければ、短縮ダイヤルやオートダイヤルのダイヤル登録がされないことを特徴とする。
【０００６】
特開平７−３０７８２５号公報にファクシミリ装置が開示されている。
このファクシミリ装置は、指示された転送先に受信した画情報を転送するファクシミリ装置である。また、このファクシミリ装置は、受付手段と、第１記憶手段と、第２記憶手段と、判断手段と、電話番号変更手段とを有することを特徴とする。
受付手段は、転送先の変更の指示があった際に、変更された転送先の電話番号を受け付ける。第１記憶手段は、前記受付手段にて第１回目に受け付けられた電話番号を記憶する。第２記憶手段は、前記受付手段にて第２回目に受け付けられた電話番号を記憶する。判断手段は、前記第１記憶手段に記憶された電話番号と、前記第２記憶手段に記憶された電話番号とが一致しているかを判断する。電話番号変更手段は、前記判断手段により一致していると判断された場合に、転送先の電話番号を該一致した電話番号に変更する。
【０００７】
【特許文献１】特開平２−２０００５８号公報
【特許文献２】特開平４−２９００６１号公報
【特許文献３】特開平７−３０７８２５号公報
【発明の開示】
【発明が解決しようとする課題】
【０００８】
本発明の目的は、宛先電話番号やメールアドレス等の宛先情報を直接入力する場合、同じ宛先情報を再度入力させることにより、誤った宛先への送信を防止するファクシミリ装置を提供することである。
【課題を解決するための手段】
【０００９】
以下に、［発明を実施するための最良の形態］で使用される番号を括弧付きで用いて、課題を解決するための手段を説明する。これらの番号は、［特許請求の範囲］の記載と［発明を実施するための最良の形態］との対応関係を明らかにするために付加されたものである。但し、それらの番号を、［特許請求の範囲］に記載されている発明の技術的範囲の解釈に用いてはならない。
【００１０】
本発明のファクシミリ装置は、原稿を読み取り、画像データを出力する読み取り部（１）と、宛先の入力を受け付け、前記宛先を示す宛先情報を出力するオペレーション部（２）と、前記宛先情報に基づいて、前記画像データを前記宛先に送信するための通信処理部（３）と、前記オペレーション部（２）から前記宛先情報を受け取り、前記宛先情報と宛先候補情報とを照合し、前記宛先情報と前記宛先候補情報とが一致していれば、前記読み取り部（１）から前記画像データを受け取り、前記画像データ及び前記宛先情報を前記通信処理部（３）に通知する基本処理部（４）と、前記宛先情報と前記宛先候補情報とが一致していなければ、前記宛先情報を前記宛先候補情報として記憶する記憶部（５）とを具備する。
【００１１】
前記基本処理部（４）は、前記オペレーション部（２）に宛先が入力される毎に、前記入力された宛先を示す宛先情報と前記宛先候補情報の照合を行い、該宛先情報と前記宛先候補情報とが一致しない場合が所定の回数続けば、前記宛先候補情報を消去し、該宛先情報の不一致を前記オペレーション部（２）に通知する。
【００１２】
前記基本処理部（４）は、前記宛先情報と前記宛先候補情報とが一致した場合、前記宛先候補情報を消去し、前記宛先情報の確定を前記オペレーション部（２）に通知する。
【００１３】
前記基本処理部（４）は、前記確定を通知された前記オペレーション部（２）からの送信指示に応じて、前記原稿の読み取りを前記読み取り部（１）に指示する。
【００１４】
前記基本処理部（４）は、前記宛先情報の内容のうち特徴的な部分を対象として照合を行う。例えば、前記宛先情報がメールアドレスである場合、＠より前のアカウント部分を対象として照合を行う。前記宛先情報が電話番号である場合、市外局番より後の部分を対象として照合を行う。
【００１５】
本発明のファクシミリ送信方法は、（ａ）指定された宛先に基づいて宛先情報を生成するステップと、（ｂ）前記宛先情報と宛先候補情報を照合するステップと、（ｃ）前記宛先情報と前記宛先候補情報とが一致していなければ、前記宛先情報を前記宛先候補情報として記憶するステップと、（ｄ）前記宛先情報と前記宛先候補情報とが一致していれば、前記宛先情報を確定し、記憶されている前記宛先候補情報を消去するステップと、（ｅ）前記宛先情報が確定した後、原稿を読み取り画像データを生成するステップと、（ｆ）前記宛先情報に基づいて、前記画像データを前記宛先に送信するステップとを具備する。
【００１６】
前記（ｃ）ステップは、（ｃ１）前記宛先情報と前記宛先候補情報とが一致していなければ、宛先を再入力させるための画面表示をするステップを具備する。
【００１７】
前記（ｃ）ステップは、（ｃ２）宛先が入力される毎に、前記入力された宛先を示す宛先情報と前記宛先候補情報の照合を行い、宛先の入力を所定の回数行っても該宛先情報と前記宛先候補情報とが一致しない場合、前記宛先候補情報を消去し、該宛先情報の不一致を通知するステップを更に具備する。
【００１８】
前記（ｅ）ステップは、（ｅ１）前記宛先情報が確定した後、確定通知を送信するステップと、（ｅ２）前記確定通知に対する応答として通知された送信指示に応じて、前記原稿の読み取りを開始するステップとを具備する。
【００１９】
前記（ｂ）ステップは、（ｂ１）前記宛先情報の内容のうち特徴的な部分を対象として照合を行うステップを具備する。例えば、前記宛先情報がメールアドレスである場合、＠より前のアカウント部分を対象として照合を行う。前記宛先情報が電話番号である場合、市外局番より後の部分を対象として照合を行う。
【００２０】
本発明のプログラムは、上記のファクシミリ送信方法をコンピュータに実行させる。
【発明の効果】
【００２１】
宛先指定を電話番号やメールアドレスで行う場合には、桁数が多いために誤った宛先に送信してしまうケースがあるが、同じ宛先電話番号あるいはメールアドレスを２回入力させることで誤入力を防止する事ができる。
【発明を実施するための最良の形態】
【００２２】
以下に本発明の第１実施形態について添付図面を参照して説明する。
本発明の構成を図１に示す。
本ファクシミリ装置（ＦＡＸ）は、読み取り部１と、オペレーション部２と、通信部３と、基本処理部４と、宛先候補記憶部５を備える。
【００２３】
読み取り部１は、オペレータがセットした原稿を画像情報として読み取ることができる。オペレーション部２は、オペレータが入力することができ、入力した宛先情報を表示することができる。通信処理部３は、ファクシミリ通信及びＷ−ＮＥＴ  ＦＡＸ通信を行う。Ｗ−ＮＥＴ  ＦＡＸは、インターネットメール（Ｅ−ＭＡＩＬ）と同じ方法で、ＦＡＸ同士の通信や、パソコンとの通信ができるようになるＦＡＸの拡張機能である。すなわち、Ｗ−ＮＥＴ  ＦＡＸ通信では、ＦＡＸ原稿（紙）の画像データをパソコンへメール送信したり、ＬＡＮ上のパソコンから一般ＦＡＸへ送信したりすることができる。基本処理部４は、これらを制御し画像通信機能を実現する。宛先候補記憶部５は、前記オペレーション部２から宛先情報を通知ａで受け取り、宛先候補として記憶する。
【００２４】
また、基本処理部４は、前記宛先候補記憶部５に記憶された宛先候補と、再度オペレータがオペレーション部２経由で入力する宛先情報とを照合する。なお、基本処理部４は、宛先候補記憶部５を内部に有していても良い。
【００２５】
図２Ａ，図２Ｂを参照して、本発明の処理フローについて説明する。
（１）ステップＳ１０１
まず始めに、オペレータは原稿を読み取り部１にセットし、オペレーション部２から送信する宛先の電話番号を入力する。本実施例では宛先指定に電話番号を想定するが、Ｗ−ＮＥＴ  ＦＡＸの場合にはメールアドレスを指定する。
（２）ステップＳ１０２
基本処理部４は、図３のように各処理部からのイベント待ち状態となっている。
指定された宛先はオペレーション部２から基本処理部４に通知ａにより通知される。
（３）ステップＳ１０３
基本処理部４は通知された電話番号が１回目の入力であれば、宛先候補記憶部５に宛先候補として電話番号を記憶する。
（４）ステップＳ１０４
そして確認のため同じ宛先の電話番号を再度入力させるために通知ｅにて入力を促す画面表示をオペレーション部２に通知する（図４参照）。本実施例では宛先指定が１回目か２回目かの判断を、宛先候補記憶部５の宛先候補の有無により判断する。
（５）ステップＳ１０５
次にオペレーション部２では通知ｅを受け取ると同じ宛先の電話番号を再入力する画面を表示する。
（６）ステップＳ１０６
オペレータが再び宛先電話番号を入力すると再び通知ａによりオペレーション部２から基本処理部４に通知がされる。
（７）ステップＳ１０７
基本処理部４は通知ａを受け取ると、宛先候補記憶部５の宛先候補をチェックし、既に登録されている宛先候補の電話番号と今回通知ａで通知された電話番号を照合する。
（８）ステップＳ１０８
電話番号の照合の結果、２度の電話番号が一致していれば、その電話番号を正式な送信先として保持し、通知ｆにより宛先完了（宛先確定）を通知する。また宛先候補記憶部５の宛先候補を削除する。
（９）ステップＳ１０９
通知ｆを受けたオペレーション部２は、追加の宛先がある場合には宛先電話番号の入力を続ける。
（１０）ステップＳ１１０
宛先の指定が全て完了するとオペレーション部２から送信指示を通知ｇにより基本処理部４に通知する。
（１１）ステップＳ１１１
送信指示ｇを受け取った基本処理部４は読み取り部１に原稿の読み取り開始指示である通知ｂを通知する（図５参照）。
（１２）ステップＳ１１２
読み取り部１は原稿読み取りを実施し、読み取り画像の情報を通知ｃで基本処理部４に通知する。この時、読み取り画像の情報をオペレーション部２に表示し、この読み取り画像を送信するかどうか確認できるようにしても良い。読み取り画像に不満がある場合、再度、基本処理部４は読み取り部１に原稿読み取りを指示する。
（１３）ステップＳ１１３
基本処理部４は正式な送信先と、通知ｃで受け取った画像情報を通信処理部３に通知ｄを送信する（図６参照）。
（１４）ステップＳ１１４
通信処理部３はファクシミリ通信を行う。
（１５）ステップＳ１１５
次に電話番号の照合の結果が一致しない場合について記載する。宛先候補記憶部５の宛先候補と通知ａにより通知された宛先電話番号が一致しない場合には、宛先候補を削除するともに通知ｆにより宛先不一致を通知する。
（１６）ステップＳ１１６
オペレーション部２は宛先入力をする画面を表示する。
【００２６】
図３は、基本処理部４における各処理部からのイベント待ち状態を示す。基本処理部４には、以下の通知が行われる。
（１）通知ａ
基本処理部４は、オペレーション部２からの通知ａにより、オペレーション部２で入力された宛先を通知される。
（２）通知ｇ
基本処理部４は、オペレーション部２からの通知ｇにより、原稿のファクシミリ通信での送信指示を通知される。通知ｇに応じて、基本処理部４は、通知ｂにより、読み取り部１に読み取り開始指示を通知する。
（３）通知ｃ
基本処理部４は、読み取り部１からの通知ｃにより、読み取り部１にセットされた原稿の画像情報を通知される。基本処理部４は、通知ｄにより、通知ｃで受け取った画像情報を通信処理部３に通知する。
【００２７】
図４に、宛先チェックの処理フローについて説明する。
（１）ステップＳ２０１
基本処理部４は、オペレーション部２から宛先情報を通知された場合、該宛先情報が宛先候補記憶部５に登録されているか確認する。
（２）ステップＳ２０２
登録がない場合、基本処理部４は、１回目の入力と判断し、該宛先情報を宛先候補情報として宛先候補記憶部５に記憶する。
（３）ステップＳ２０３
その後、基本処理部４は、確認のための再入力をオペレーション部２へ指示する。この時、ユーザに宛先情報の再入力を促す表示画面、又は入力画面をオペレーション部２に通知するようにしても良い。
（４）ステップＳ２０４
登録がある場合、基本処理部４は、該宛先情報と宛先候補記憶部５の宛先候補情報とが一致するか確認する。
（５）ステップＳ２０５
一致する場合、該宛先情報は宛先として確定したので正規の宛先として記憶し、宛先候補記憶部５の宛先候補情報をクリア（消去）する。
（６）ステップＳ２０６
基本処理部４は、該宛先情報を宛先として確定したことをオペレーション部２へ通知する。
（７）ステップＳ２０７
一致しない場合、宛先候補記憶部５の宛先候補情報をクリア（消去）する。
（８）ステップＳ２０８
基本処理部４は、該宛先情報が宛先候補情報と不一致である旨をオペレーション部２へ通知する。
【００２８】
図５は、読み取り指示受信処理を示す。
基本処理部４は、オペレーション部２からの通知ｇに応じて、読み取り部１に読み取り開始指示を通知するための通知ｂを送信する。    
【００２９】
図６は、画像通知受信処理を示す。
基本処理部４は、確定した宛先情報と、読み取り部１から受け取った画像情報とを合わせて、通信処理部３に通信開始指示を通知するための通知ｄを送信する。
【００３０】
本実施例では、指定した宛先を全桁照合しているが、照合する桁数を制限しても良い。例えば、メールアドレスによる宛先指定の場合には、＠より後のドメイン部分は再入力を省き、＠より前のアカウント部分だけを再入力させて、アカウント部分だけを照合する。ドメイン部分は比較的定型的になっており、正しく入力しやすいが、アカウント部分は様々な名前がついており、アカウントだけを照合することでも誤送信（誤入力）防止には有効である。
同様に、電話番号による宛先指定の場合には、市外局番の部分は再入力を省き、市外局番より後の部分だけを再入力させて照合することが考えられる。
【００３１】
以下に本発明の第２実施形態について添付図面を参照して説明する。
第１実施形態では、２回目の宛先電話番号が不一致となった場合に、１回目と２回目の宛先電話番号を破棄している。しかし、その他の例として、１回目と２回目の宛先電話番号両方を保持しておき、３回目の入力電話番号が一致した電話番号を採用することで、宛先電話番号入力時のミスによる負担を軽減することも有効である。
【００３２】
図７Ａ，図７Ｂ，図７Ｃを参照して、本実施形態の処理フローを説明する。
（１）ステップＳ３０１
始めにオペレータは原稿を読み取り部１にセットし、オペレーション部２から送信する宛先の電話番号を入力する。
（２）ステップＳ３０２
基本処理部４は、図３のように各処理部からのイベント待ち状態となっている。
指定された宛先はオペレーション部２から基本処理部４に通知ａにより通知される。
（３）ステップＳ３０３
基本処理部４は通知された電話番号が１回目の入力であれば、宛先候補記憶部５に宛先候補として電話番号を記憶する。
（４）ステップＳ３０４
そして確認のため同じ宛先の電話番号を再度入力させるために通知ｅにて入力を促す画面表示をオペレーション部２に通知する（図４参照）。
（５）ステップＳ３０５
次にオペレーション部２では通知ｅを受け取ると同じ宛先の電話番号を再入力する画面を表示する。
（６）ステップＳ３０６
オペレータが再び宛先電話番号を入力すると再び通知ａによりオペレーション部２から基本処理部４に通知がされる。
（７）ステップＳ３０７
基本処理部４は通知ａを受け取ると、宛先候補記憶部５の宛先候補をチェックし、既に登録されている宛先候補の電話番号と今回通知ａで通知された電話番号を照合する。
（８）ステップＳ３０８
電話番号の照合の結果、２度の電話番号が一致していれば、その電話番号を正式な送信先として保持し、通知ｆにより宛先完了（宛先確定）を通知する。また宛先候補記憶部５の宛先候補を削除する。
（９）ステップＳ３０９
通知ｆを受けたオペレーション部２は、追加の宛先がある場合には宛先電話番号の入力を続ける。
（１０）ステップＳ３１０
宛先の指定が全て完了するとオペレーション部２から送信指示を通知ｇにより基本処理部４に通知する。
（１１）ステップＳ３１１
送信指示ｇを受け取った基本処理部４は読み取り部１に原稿の読み取り開始指示である通知ｂを通知する（図５参照）。
（１２）ステップＳ３１２
読み取り部１は原稿読み取りを実施し、読み取り画像の情報を通知ｃで基本処理部４に通知する。この時、読み取り画像の情報をオペレーション部２に表示し、この読み取り画像を送信するかどうか確認できるようにしても良い。読み取り画像に不満がある場合、再度、基本処理部４は読み取り部１に原稿読み取りを指示する。
（１３）ステップＳ３１３
基本処理部４は正式な送信先と、通知ｃで受け取った画像情報を通信処理部３に通知ｄを送信する（図６参照）。
（１４）ステップＳ３１４
通信処理部３はファクシミリ通信を行う。
【００３３】
本実施例では再入力した宛先電話番号が始めに指定された宛先電話番号と一致しない場合について説明する。この場合は、第２宛先候補として宛先候補記憶部５に登録する。したがってこの時点では宛先候補記憶部５には、宛先電話番号が２種類記憶された状態になる。
（１５）ステップＳ３１５
次に基本処理部４は再度通知ｆをオペレーション部２に通知ａを通知することで３回目の宛先入力を指示する。
（１６）ステップＳ３１６
そしてオペレーション部２から基本処理部４に通知ａにより、通知された３回目の宛先電話番号と、宛先候補記憶部５に記憶された２つの宛先電話番号と照合する。
（１７）ステップＳ３１７
照合した結果、３回目の宛先電話番号が、宛先候補記憶部５に記憶された２つの宛先電話番号のどちらかと一致している場合には、一致した宛先電話番号を宛先電話番号として確定し保持する。
（１８）ステップＳ３１８
次に宛先候補記憶部５に記憶されている宛先電話番号は破棄し、通知ｆにより宛先確定をオペレーション部２へ通知する。
（１９）ステップＳ３１９
もし、宛先候補記憶部５に記憶された２つの宛先電話番号のどちらにも一致しない場合には宛先候補記憶部５に記憶されている宛先電話番号を破棄し、オペレーション部２へ宛先不一致を通知ｆする。
（２０）ステップＳ３２０
オペレーション部２は宛先入力をする画面を表示する。
【００３４】
図８は、第２実施形態での宛先チェックの処理フローを示す。
（１）ステップＳ４０１
基本処理部４は、オペレーション部２から宛先情報を通知された場合、該宛先情報が宛先候補記憶部５に登録されているか確認する。
（２）ステップＳ４０２
登録された宛先候補情報がない場合、基本処理部４は、１回目の入力と判断し、該宛先情報を宛先候補情報として宛先候補記憶部５に記憶する。
（３）ステップＳ４０３
その後、基本処理部４は、確認のための再入力をオペレーション部２へ指示する。この時、ユーザに宛先情報の再入力を促す表示画面、又は入力画面をオペレーション部２に通知するようにしても良い。
（４）ステップＳ４０４
登録された宛先候補情報が１つある場合、基本処理部４は、該宛先情報と宛先候補記憶部５の該宛先候補情報とが一致するか確認する。一致しない場合、基本処理部４は、２回目の入力と判断し、ステップＳ４０２と同様に、該宛先情報を宛先候補情報として宛先候補記憶部５に記憶する。その後、ステップＳ４０３と同様に、基本処理部４は、確認のための再入力をオペレーション部２へ指示する。
（５）ステップＳ４０５
登録された宛先候補情報が２つある場合、基本処理部４は、該宛先情報と宛先候補記憶部５の２つの該宛先候補情報のいずれかとが一致するか確認する。
（６）ステップＳ４０６
該宛先情報と宛先候補記憶部５の該宛先候補情報とが一致する場合、該宛先情報は宛先として確定したので正規の宛先として記憶し、宛先候補記憶部５の宛先候補情報をクリア（消去）する。
（７）ステップＳ４０７
基本処理部４は、該宛先情報を宛先として確定したことをオペレーション部２へ通知する。
（８）ステップＳ４０８
該宛先情報と宛先候補記憶部５の２つの該宛先候補情報のいずれとも一致しない場合、宛先候補記憶部５の宛先候補情報をクリア（消去）する。
（９）ステップＳ４０９
基本処理部４は、該宛先情報が宛先候補情報と不一致である旨をオペレーション部２へ通知する。
【００３５】
本実施形態では、宛先情報の入力を３回行っているが、実際には３回に限定されない。ユーザの設定やファクシミリ装置の製造元の設定により、所定の回数入力できるようにすることも考えられえる。
例えば、宛先情報の入力を５回行うようにした場合、１回目の入力後、２回目から５回目まで入力がある毎に、入力された宛先情報と宛先候補情報との照合を行い、一致した時点で宛先チェック処理を終了するようにしても良い。この場合、５回目（最後）に入力された宛先情報が宛先候補情報のいずれとも一致しなければ、宛先候補情報を全てクリア（消去）し、オペレーション部２に不一致を通知する。
【００３６】
なお、本発明のファクシミリ装置は、ＦＡＸそのものに限らず、ファクシミリ機能を有する電話機やコンピュータ、又はファクシミリ機能及び他の機能（プリンタ機能、コピー機能、スキャナ機能等）を有する複合機でも良い。この時、上記に説明した各処理フローの動作をコンピュータに実行させるためのプログラムを用いても良い。
【００３７】
以上のように、本発明のファクシミリ装置は、ファクシミリ通信機能又はＷ−ＮＥＴ  ＦＡＸ機能あるいは両方の機能を有する装置において、宛先指定を直接オペレーションパネルにて入力する場合、宛先指定誤りにより発生する誤送信を防止する機能を有する装置である。
【００３８】
本発明では、宛先電話番号やメールアドレス等の宛先情報を直接入力する場合には、同じ宛先情報を再度入力させることにより、誤った宛先への送信を防止する。
【図面の簡単な説明】
【００３９】
【図１】図１は、本発明の実施例の構成を示すブロック図である。
【図２Ａ】図２Ａは、本発明の処理フローを示すフローチャートである。
【図２Ｂ】図２Ｂは、本発明の処理フローを示すフローチャートである。
【図３】図３は、基本処理部４のメイン処理である。
【図４】図４は、基本処理部４の宛先情報受信処理である。
【図５】図５は、基本処理部４の読み取り指示順処理である。
【図６】図６は、基本処理部４の画像受信処理である。
【図７Ａ】図７Ａは、その他の実施例の処理フローを示すフローチャートである。
【図７Ｂ】図７Ｂは、その他の実施例の処理フローを示すフローチャートである。
【図７Ｃ】図７Ｃは、その他の実施例の処理フローを示すフローチャートである。
【図８】図８は、その他の実施例の基本処理部４の宛先情報受信処理である。
【符号の説明】
【００４０】
１…  読み取り部
２…  オペレーション部
３…  通信処理部
４…  基本処理部
５…  宛先候補記憶部
【図１】
0004437123.tif 000002
【図２Ａ】
0004437123.tif 000003
【図２Ｂ】
0004437123.tif 000004
【図３】
0004437123.tif 000005
【図４】
0004437123.tif 000006
【図５】
0004437123.tif 000007
【図６】
0004437123.tif 000008
【図７Ａ】
0004437123.tif 000009
【図７Ｂ】
0004437123.tif 000010
【図７Ｃ】
0004437123.tif 000011
【図８】
0004437123.tif 000012